(57)【要約】【課題】閉鎖配電盤の金属筐体から遮断器を引き出した状態における、絶縁低下の原因が湿気に起因するものであるか機器不良によるものであるかの判断を確実におこなうこと。【解決手段】一面が開放された方体形状をなすカバー５０１と、開放された一面を鉛直方向下側に向けた状態でカバー５０１を支持する枠部材と、カバー５０１の上面に設けられ、乾燥空気送出元から送出された乾燥空気をカバー５０１内に導入する乾燥空気吸気口５０２と、を備えた絶縁抵抗測定用カバーを構成した。【選択図】図６
2017112740.tif 000002
【特許請求の範囲】
【請求項１】
一面が開放された方体形状をなすカバーと、
開放された前記一面を鉛直方向下側に向けた状態で前記カバーを支持する枠部材と、
前記カバーの上面に設けられ、乾燥空気送出元から送出された乾燥空気を前記カバー内に導入する乾燥空気吸気口と、
を備えたことを特徴とする絶縁抵抗測定用カバー。
【請求項２】
前記枠部材は、方形状をなす上面枠と、当該上面枠における角から下方に延びる複数の脚部と、によって構成され、
前記上面枠がなす方形状における各辺は、それぞれ、長手方向に沿って相対的にスライド可能に設けられた複数の棒状部材と、各辺における各棒状部材を任意の位置関係で固定する固定部材と、によって構成されていることを特徴とする請求項１に記載の絶縁抵抗測定用カバー。
【請求項３】
前記カバーにおける上面以外の面に設けられ、当該カバーの内側と外側との間での乾燥空気の移動を可能にするカバー連結口を備えたことを特徴とする請求項１または２に記載の絶縁抵抗測定用カバー。
【発明の詳細な説明】
【技術分野】
【０００１】
この発明は、遮断器の保守点検に用いる絶縁抵抗測定用カバーに関する。
【背景技術】
【０００２】
従来、閉鎖配電盤内に収納された遮断器の保守点検に際しては、閉鎖配電盤の金属筐体から遮断器を引き出して絶縁抵抗測定をおこなっていた。この絶縁抵抗は、周囲の湿度に影響される。関連する技術として、従来、閉鎖配電盤の金属筐体内に圧縮空気発生源から除湿した空気を常時供給するようにした閉鎖配電盤に関する技術があった（たとえば、下記特許文献１を参照。）。
【先行技術文献】
【特許文献】
【０００３】
【特許文献１】特開平０２−２０２３０４号公報
【発明の概要】
【発明が解決しようとする課題】
【０００４】
しかしながら、機器不良による絶縁低下は、閉鎖配電盤の金属筐体から遮断器を引き出しておこなう定期点検でなければ判断できない。上述した特許文献１に記載された従来の技術は、常時運用状態における湿度対策であり、特許文献１に記載された技術が施された閉鎖配電盤であっても、金属筐体から遮断器を引き出しておこなう定期点検には適用することができず、絶縁低下の原因が湿気に起因するものであるか機器不良によるものであるかを判断することが難しいという問題があった。
【０００５】
この発明は、上述した従来技術による問題点を解消するため、閉鎖配電盤の金属筐体から遮断器を引き出した状態における、絶縁低下の原因が湿気に起因するものであるか機器不良によるものであるかの判断を確実におこなうことができる絶縁抵抗測定用カバーを提供することを目的とする。
【課題を解決するための手段】
【０００６】
上述した課題を解決し、目的を達成するため、この発明にかかる絶縁抵抗測定用カバーは、一面が開放された方体形状をなすカバーと、開放された前記一面を鉛直方向下側に向けた状態で前記カバーを支持する枠部材と、前記カバーの上面に設けられ、乾燥空気送出元から送出された乾燥空気を前記カバー内に導入する乾燥空気吸気口と、を備えたことを特徴とする。
【０００７】
また、この発明にかかる絶縁抵抗測定用カバーは、上記の発明において、前記枠部材が、方形状をなす上面枠と、当該上面枠における角から下方に延びる複数の脚部と、によって構成され、前記上面枠がなす方形状における各辺が、それぞれ、長手方向に沿って相対的にスライド可能に設けられた複数の棒状部材と、各辺における各棒状部材を任意の位置関係で固定する固定部材と、によって構成されていることを特徴とする。
【０００８】
また、この発明にかかる絶縁抵抗測定用カバーは、上記の発明において、前記カバーにおける上面以外の面に設けられ、当該カバーの内側と外側との間での乾燥空気の移動を可能にするカバー連結口を備えたことを特徴とする。
【発明の効果】
【０００９】
この発明にかかる絶縁抵抗測定用カバーによれば、閉鎖配電盤の金属筐体から遮断器を引き出した状態における、絶縁低下の原因が湿気に起因するものであるか機器不良によるものであるかの判断を確実におこなうことができるという効果を奏する。
【図面の簡単な説明】
【００１０】
【図１】閉鎖配電盤を正面から見た状態を示す説明図である。
【図２】閉鎖配電盤を側面から見た状態を示す説明図である。
【図３】リフターを示す説明図である。
【図４】遮断器を示す説明図である。
【図５】この発明にかかる実施の形態の絶縁抵抗測定用カバーを示す説明図（その１）である。
【図６】この発明にかかる実施の形態の絶縁抵抗測定用カバーを示す説明図（その２）である。
【図７】この発明にかかる実施の形態の絶縁抵抗測定用カバーを示す説明図（その３）である。
【図８】測定器接続ジャックを示す説明図である。
【図９】この発明にかかる実施の形態の絶縁抵抗測定用カバーの枠部材を示す説明図（その１）である。
【図１０】この発明にかかる実施の形態の絶縁抵抗測定用カバーの枠部材を示す説明図（その２）である。
【図１１】この発明にかかる実施の形態の絶縁抵抗測定用カバーの枠部材を示す説明図（その３）である。
【図１２】絶縁抵抗測定用カバーを用いた絶縁抵抗測定の作業手順を示す説明図である。
【図１３】この発明にかかる実施の形態の絶縁抵抗測定用カバーを用いた別の作業手順を示す説明図である。
【発明を実施するための形態】
【００１１】
以下に添付図面を参照して、この発明にかかる絶縁抵抗測定用カバーの好適な実施の形態を詳細に説明する。
【００１２】
（閉鎖配電盤の構成）
まず、この発明にかかる実施の形態の絶縁抵抗測定用カバーの使用対象となる閉鎖配電盤について説明する。図１は、閉鎖配電盤を正面から見た状態を示す説明図である。図２は、閉鎖配電盤を側面から見た状態を示す説明図である。
【００１３】
図１および図２において、この発明にかかる実施の形態の絶縁抵抗測定用カバー１００の使用対象となる閉鎖配電盤１１０は、金属製の筐体１１１の内部に、遮断器１０１ａを収納している。また、閉鎖配電盤１１０は、遮断器１０１ａの他、断路器などの電力用開閉器、変成器、母線や接続導体などの各種の電気機器を収納している。筐体１１１内は、単位回路区分ごとに接地金属隔壁により隔離されている。
【００１４】
母線１１２と主回路端子１１３の各一方１１３ａとは電源側分岐導体１１４によって接続されている。主回路端子１１３の各他方１１３ｂには、計器用変流器１１５を介して、負荷側分岐導体１１６が接続されている。負荷側分岐導体１１６の端部にはケーブル１１７が接続されている。母線１１２や負荷側分岐導体１１６は、碍子１１８によってそれぞれ絶縁支持されている。
【００１５】
筐体１１１の側面には、筐体１１１から遮断器１０１ａを引き出したり、引き出した遮断器１０１ａを筐体１１１に収納したりする際に開閉される扉１１９が設けられている。扉１１９は、筐体１１１の側面全体を開閉できるように設けられている。図２においては、扉１１９を開放した状態を示している。
【００１６】
筐体１１１には、台車フレーム１２０が設けられている。遮断器１０１ａは、台車フレーム１２０の上に載置されている。遮断器１０１ａの下部には、ローラ２０１が設けられており、これにより遮断器１０１ａを図２における紙面表裏方向に沿って移動させ、筐体１１１から引き出すことができる。遮断器１０１ａを筐体１１１から引き出す際には、専用のリフター（図３における符号３１０を参照）を用いる。
【００１７】
（リフターの構成）
図３は、リフターを示す説明図である。図３において、リフター３１０は、遮断器１０１ａの下部であって遮断器１０１ａと台車フレーム１２０との間に挿入可能な２本のアーム３１１と、各アーム３１１を上下動可能に支持する支持部３１２と、を備えている。遮断器１０１ａを筐体１１１から引き出す際には、アーム３１１の位置を所望の高さに調整し、遮断器１０１ａのローラ２０１の正面にアーム３１１を位置付ける。
【００１８】
そして、アーム３１１をレールにして、遮断器１０１ａを筐体１１１の外に移動させる。このようにして、遮断器１０１ａを筐体１１１から引き出すことができる。その後、絶縁抵抗測定を含む、定期点検における点検作業をおこなう。なお、点検作業は、遮断器１０１ａを地面に下ろさずにおこなってもよいが、適宜、アーム３１１の高さを下げ、遮断器１０１ａを地面に下ろした状態でおこなってもよい。
【００１９】
（遮断器１０１ａの外観）
図４は、遮断器１０１ａを示す説明図である。図４において、遮断器１０１ａは、扉１１９側の面に、外部装置である制御部に接続された制御回路コネクタの挿入を受け付ける制御プラグ４０１、遮断器１０１ａが動作した回数を示す動作回数計４０２、遮断器１０１ａが開状態であるか閉状態であるかを示す開閉表示器４０３、遮断器１０１ａの開閉の切り替えを手動でおこなうためのボタン手動入ボタン４０４や手動切ボタン４０５、遮断器１０１ａの移動に際して把持する移動用把手４０６などが配されている。制御回路コネクタは、点検作業に際して制御プラグ４０１から引き抜かれる。
【００２０】
（絶縁抵抗測定用カバー１００）
図５、図６および図７は、この発明にかかる実施の形態の絶縁抵抗測定用カバー５００を示す説明図である。図５においては、絶縁抵抗測定用カバー５００の外観を示している。図６においては、絶縁抵抗測定用カバー５００を展開した状態を示している。図７においては、絶縁抵抗測定用カバー５００を一部透過した状態を示している。
【００２１】
図５、図６および図７において、絶縁抵抗測定用カバー５００は、底面のない略直方体形状をなすカバー５０１を、カバー５０１と同等あるいは若干小さいサイズの略直方体形状をなす枠部材７０１に被せることによって構成されている。
【００２２】
カバー５０１は、使用に際して、使用時に底となる一面が開口する箱型形状をなす。カバー５０１は、図６に示すように、略正方形状の５つのシート状部材６０１、６０２、６０３、６０４、６０５によって構成されている。具体的に、カバー５０１は、中央に配されたシート状部材６０１の各辺に、残りの４つのシート状部材６０２、６０３、６０４、６０５における一辺を合わせることによって構成されている。
【００２３】
４つのシート状部材６０２、６０３、６０４、６０５において、図６に示すように展開した状態において離れていて、図５に示すように使用する状態において合わせられる辺には、ファスナー（図示を省略する）が設けられている。これにより、図５に示す状態から図６に示す状態へ、あるいは、図６に示す状態から図５に示す状態へ、容易に変更することができる。
【００２４】
カバー５０１において、上面となるシート状部材６０１には、乾燥空気吸気口５０２が設けられている。カバー５０１において、側面となるシート状部材６０２、６０３、６０４、６０５のうちのいずれかのシート状部材６０２、６０３、６０４または６０５には、ファスナー５０３が設けられている。ファスナー５０３は、緩い山型の稜線状に設けられ、稜線の向きを変えて２つ設けられている。
【００２５】
ファスナー５０３が設けられたシート状部材６０２においては、ファスナー５０３を開けることにより、作業者の手を入れることが可能な程度の大きさで、絶縁抵抗測定用カバー５００の内側と外側とを連通する作業用開口（図示を省略する）が形成される。２つのファスナーは、それぞれ独立して開閉することができる。
【００２６】
ファスナー５０３が設けられたシート状部材６０２において、ファスナー５０３を開くことによって形成される作業用開口を塞ぐ部分６０２ａには、測定器接続ジャック（図８を参照）５１０が設けられている。
【００２７】
カバー５０１において、側面となるシート状部材６０２、６０３、６０４、６０５のうち、ファスナー５０３が設けられていないシート状部材６０３、６０４には、カバー連結口５０６が設けられている。カバー連結口５０６は、絶縁抵抗測定用カバー５００の内側と外側とを連通する。カバー連結口５０６は、側面となるシート状部材６０２、６０３、６０４、６０５のうちファスナー５０３が設けられていないシート状部材６０３、６０４、６０５のすべてに設けられていてもよく、任意のシート状部材６０２、６０３、６０４または６０５に選択的に設けられていてもよい。
【００２８】
図８は、測定器接続ジャックを示す説明図である。図８においては、測定器接続ジャックを介して測定器（絶縁抵抗計）が接続された状態を示している。図８においては、シート状部材６０１を、当該シート状部材６０１の面に直交する平面に沿って切断した切断位置の周辺を示している。また、図８においては、遮断器１０１ａの一部を仮想線で示している。
【００２９】
図８において、測定器接続ジャック５１０は、カバー５０１の外側に対して凹むように設けられたキャップ部材８０２を備えている。キャップ部材８０２の内周面には金属材料など、導電性を有する材料が表面に露出するように設けられている。キャップ部材８０２自体を、金属材料を用いて形成してもよい。
【００３０】
また、測定器接続ジャック５１０は、キャップ部材８０２に電気的に接続されたリード線８０３および接続用クリップ８０４を備えている。リード線８０３および接続用クリップ８０４は、いずれも導電性を有する。リード線８０３の一端はキャップ部材８０２の底部分に電気的に接続され、他端は接続用クリップ８０４に電気的に接続されている。
【００３１】
リード線８０３は伸縮可能であることが好ましい。リード線８０３は、たとえば、コイル状に巻回した形状とすることによって伸縮可能としてもよく、リード線８０３を形成する材質によって伸縮可能としてもよい。接続用クリップ８０４は、絶縁抵抗測定に際して、遮断器１０１ａの接触子８０５に接続される。
【００３２】
図９、図１０および図１１は、この発明にかかる実施の形態の絶縁抵抗測定用カバー５００の枠部材７０１を示す説明図である。図９、図１０および図１１において、枠部材７０１は、略正方形状をなす上面枠９０１と、上面枠９０１における４つの角から下方に延びる４本の脚部９０２と、によって構成されている。
【００３３】
上面枠９０１の各辺を構成する部材は、それぞれ、長さ方向における両端部において、蝶ネジ９０３およびこの蝶ネジ９０３に螺合するナット９０４を介して脚部９０２に取り付けられている。上面枠９０１の各辺は、それぞれ、蝶ネジ９０３およびナット９０４によって脚部９０２に取り付けられている。上面枠９０１の各辺は、それぞれ、蝶ネジ９０３によって脚部９０２に連結された位置を中心として回動可能に設けられている。
【００３４】
上面枠９０１の各辺は、それぞれ、２本の棒状部材９０５ａ、９０５ｂによって構成されている。上面枠９０１の各辺をそれぞれ構成する２本の棒状部材９０５ａ、９０５ｂは、それぞれ、蝶ネジ９０６およびこの蝶ネジ９０６に螺合するナット９０７によって連結されている。
【００３５】
上面枠９０１の各辺をそれぞれ構成する２本の棒状部材９０５ａ、９０５ｂは、自身の長さ方向に沿って相対的にスライド可能に連結されている。これにより、蝶ネジ９０６を緩めた状態で上面枠９０１の各辺を構成する２本の棒状部材９０５ａ、９０５ｂの相対的な位置関係を調整し、任意の長さで蝶ネジ９０６を締めることによって、上面枠９０１の大きさを調整することができる。
【００３６】
また、上面枠９０１の各辺を構成する２本の棒状部材９０５ａ、９０５ｂは、それぞれ、蝶ネジ９０６の位置を中心として回動可能に設けられている。これにより、たとえば、絶縁抵抗測定用カバー５００の運搬時などにおいては、上面枠９０１の各辺を構成する２本の棒状部材９０５ａ、９０５ｂを、それぞれ蝶ネジ９０６の位置において折り曲げることができる。
【００３７】
４本の脚部９０２において、上面枠９０１と反対側の端部には、サポート材９０８が設けられている。サポート材９０８は、４本の脚部９０２を角部とする略正方形状において対向する２辺に設けられている。各サポート材９０８は、それぞれ、上面枠９０１の各辺と同様の構成とされている。
【００３８】
これにより、各サポート材９０８も、上面枠９０１と同様に、上面枠９０１の大きさに合わせて長さを調整することができる。また、上面枠９０１と同様に、各サポート材９０８も、蝶ネジ９０９によって脚部９０２に連結された位置を中心として回動可能であって、かつ、蝶ネジ９１０の位置において折り曲げることができる。図１１においては、上面枠９０１の各辺およびサポート材９０８を折り曲げた状態を示している。
【００３９】
（絶縁抵抗測定の作業手順）
つぎに、この発明にかかる実施の形態の絶縁抵抗測定用カバー５００を用いた絶縁抵抗測定の作業手順について説明する。図１２は、絶縁抵抗測定用カバー５００を用いた絶縁抵抗測定の作業手順を示す説明図である。絶縁抵抗測定の作業に際しては、まず、上記のようにして遮断器１０１ａを筐体１１１から引き出す。
【００４０】
遮断器１０１ａは、筐体１１１から完全に引き出す。そして、遮断器１０１ａのサイズに合わせて枠部材７０１のサイズを調整する。枠部材７０１のサイズは、枠部材７０１が支持するカバー５０１が、リフター３１０に乗せた状態の遮断器１０１ａに接触しない程度とすることが好ましい。
【００４１】
サイズを調整した枠部材７０１を遮断器１０１ａの上側からリフター３１０に乗せ、この状態の枠部材７０１にカバー５０１を掛ける。これにより、遮断器１０１ａの上方および四側方がカバー５０１によって覆われる。なお、サイズを調整した枠部材７０１にカバー５０１を掛けてから、これを遮断器１０１ａに乗せてもよい。
【００４２】
つぎに、ファスナー５０３を開いて、これによってシート状部材６０１に形成される作業用開口を介して、接続用クリップ８０４を遮断器１０１ａの接触子８０５に電気的に接続する。具体的には、遮断器１０１ａの接触子８０５を接続用クリップ８０４によって挟むことによって、接続用クリップ８０４を遮断器１０１ａの接触子８０５に電気的に接続することができる。その後、ファスナー５０３を閉じて、作業用開口を閉じる。その後、測定器接続ジャック５１０に、絶縁抵抗計の測定端子８００を挿入する。
【００４３】
つぎに、上面の乾燥空気吸気口５０２に、図示を省略する乾燥空気送出元に一端が接続された管路部材１２１０の他端を接続する。管路部材１２１０は、既存のホースやパイプであってもよく、専用の部材であってもよい。管路部材１２１０の内径は、乾燥空気送出元による乾燥空気の送出能力に応じて適宜選定してもよい。
【００４４】
これにより、乾燥空気吸気口５０２を介して絶縁抵抗測定用カバー５００の上側から乾燥した空気がカバー５０１の内側に送り込まれる。カバー５０１の内側に送り込まれた乾燥空気は、底側の開放された一面から外へ排出される。乾燥した空気を上から下に循環させ、さらに、下からカバー５０１の外へ排出することにより、遮断器１０１ａを短時間で効率よく乾燥させることができる。
【００４５】
上記のように、枠部材７０１のサイズを、遮断器１０１ａに接触しないようにすることにより、カバー５０１内において乾燥空気を均等に循環させることができる。これにより、遮断器１０１ａを短時間でより一層効率よく乾燥させることができる。このようにして遮断器１０１ａを十分に乾燥させた後、絶縁抵抗測定をおこなう。
【００４６】
遮断器１０１ａを十分に乾燥させた状態で絶縁抵抗の測定をおこなうことにより、測定された絶縁抵抗が低下している場合に、その絶縁低下の原因が湿気に起因するものであるか機器不良によるものであるかを判断することができる。なお、絶縁抵抗測定に際しては、作業者の手が入らない遮断器１０１ａの奥まで十分に乾燥させることが必要であり、遮断器１０１ａの乾燥に時間を要することから、点検作業に際して遮断器１０１ａを引き出した後はじめに遮断器１０１ａの乾燥を開始することが好ましい。これにより、他の遮断器１０１ａを引き出すなど、定期点検における他の作業をおこなっている時間を有効に活用して遮断器１０１ａを効率よく乾燥させることができる。
【００４７】
図１３は、この発明にかかる実施の形態の絶縁抵抗測定用カバー５００を用いた別の作業手順を示す説明図である。この発明にかかる実施の形態の絶縁抵抗測定用カバー５００は、単独で用いるものに限らない。複数の絶縁抵抗測定用カバー５００を併用して、同一の乾燥空気送出元から送出される乾燥空気によって複数の遮断器１０１ａの乾燥を並行しておこなってもよい。
【００４８】
図１３において、複数の遮断器１０１ａの乾燥を並行しておこなう場合、上記のようにして絶縁抵抗測定用カバー５００を構成し、各遮断器１０１ａを覆う。その後、各絶縁抵抗測定用カバー５００におけるカバー連結口５０６を管路部材１２１０によって連結する。絶縁抵抗測定用カバー５００どうしの連結に際しては、乾燥空気吸気口５０２どうしを接続してもよい。管路部材１２１０による絶縁抵抗測定用カバー５００の組立パターンは、作業環境などに応じて作業者が適宜自由に決定することができる。
【００４９】
以上説明したように、この実施の形態の絶縁抵抗測定用カバー５００は、一面が開放された方体形状をなすカバー５０１と、開放された一面を鉛直方向下側に向けた状態でカバー５０１を支持する枠部材７０１と、カバー５０１の上面に設けられ、乾燥空気送出元から送出された乾燥空気をカバー５０１内に導入する乾燥空気吸気口５０２と、を備えたことを特徴としている。
【００５０】
この発明にかかる実施の形態の絶縁抵抗測定用カバー５００によれば、カバー５０１を枠部材７０１によって支持することにより、乾燥対象とする遮断器１０１ａの周囲に確実に空間を確保することができる。そして、カバー５０１の上側から送り込まれた乾燥空気を、絶縁抵抗測定用カバー５００における底面部分となる一面からカバー５０１の外に排出することができる。
【００５１】
これにより、カバー５０１内に送り込まれた乾燥空気がカバー５０１内のいずれの空間を通過した場合にも当該乾燥空気を確実にカバー５０１の外に排出することができるので、遮断器１０１ａを確実に乾燥させることができる。また、カバー５０１の上側から乾燥空気を送り込み、当該乾燥空気を絶縁抵抗測定用カバー５００における底面部分となる一面からカバー５０１の外に排出することにより、絶縁抵抗測定用カバー５００の周囲の空気がカバー５０１内に入り込むことを抑制し、遮断器１０１ａを確実に乾燥させることができる。
【００５２】
このように、この発明にかかる実施の形態の絶縁抵抗測定用カバー５００によれば、遮断器１０１ａを確実に乾燥させることができ、遮断器１０１ａを十分に乾燥させた状態で絶縁抵抗の測定をおこなうことができるので、測定された絶縁抵抗が低下している場合に、その絶縁低下の原因が湿気に起因するものであるか機器不良によるものであるかを確実に判断することができる。これにより、絶縁抵抗測定を複数回おこなうことなく、信頼性が確保された絶縁抵抗測定結果を得ることができる。これによって、絶縁抵抗測定にかかる作業効率の向上を図ることができる。
【００５３】
さらに、この発明にかかる実施の形態の絶縁抵抗測定用カバー５００によれば、信頼性が確保された測定結果に基づいて、遮断器１０１ａに対する必要に応じたメンテナンスをおこなうことができるので、不要な作業をなくすとともに、必要な作業を的確におこなうことができ、遮断器１０１ａを備える施設全体における作業効率の向上を図ることができる。
【００５４】
また、この発明にかかる実施の形態の絶縁抵抗測定用カバー５００は、枠部材７０１が、方形状をなす上面枠９０１と、当該上面枠９０１における角から下方に延びる複数の脚部９０２と、によって構成され、上面枠９０１がなす方形状における各辺は、それぞれ、長手方向に沿って相対的にスライド可能に設けられた複数の棒状部材と、各辺における各棒状部材を任意の位置関係で固定する固定部材と、によって構成されていることを特徴としている。
【００５５】
この発明にかかる実施の形態の絶縁抵抗測定用カバー５００によれば、上面枠９０１における各辺を任意の長さに調整し、かつ当該任意の長さで固定することができる。これにより、遮断器１０１ａのサイズや、絶縁抵抗測定用カバー５００を使用する環境（リフター３１０における余りスペースなど）に応じて上面枠９０１における各辺のサイズを調整することができる。
【００５６】
そして、これにより、遮断器１０１ａをリフター３１０に載置した状態のまま絶縁抵抗測定用カバー５００を利用することができ、リフター３１０に載置した状態のままとすることで乾燥した空気のカバー５０１からの排出を確実におこなうことができる。これによって、絶縁抵抗測定用カバー５００を用いて遮断器１０１ａを乾燥させる工程をおこなう場合にも、作業者にかかる作業負担の増大を抑えることができ、かつ、乾燥した空気を上から下に循環させるとともにカバー５０１の外への排出を確実におこなうことができるので、遮断器１０１ａを短時間で効率よく乾燥させることができる。
【００５７】
また、この発明にかかる実施の形態の絶縁抵抗測定用カバー５００は、カバー５０１における上面以外の面に設けられ、当該カバー５０１の内側と外側との間での乾燥空気の移動を可能にするカバー連結口５０６を備えたことを特徴としている。
【００５８】
この発明にかかる実施の形態の絶縁抵抗測定用カバー５００によれば、同一の乾燥空気送出元から送出される乾燥空気によって複数の遮断器１０１ａの乾燥を並行しておこなうことができる。これによって、絶縁抵抗測定用カバー５００を用いて複数の遮断器１０１ａを乾燥させる場合にも、作業者にかかる作業負担の増大を抑えることができ、かつ、複数の遮断器１０１ａのそれぞれを確実に乾燥させることができる。
【００５９】
また、この発明にかかる実施の形態の絶縁抵抗測定用カバー５００によれば、リフター３１０上で遮断器１０１ａを乾燥させることにより、絶縁が良好な乾燥した状態で閉鎖配電盤１１０の筐体１１１内に遮断器１０１ａを収納することができる。
【００６０】
また、この発明にかかる実施の形態の絶縁抵抗測定用カバー５００は、カバー５０１の外側に対して凹むように設けられたキャップ部材８０２と、キャップ部材８０２に電気的に接続されたリード線８０３および接続用クリップ８０４とを備えた測定器接続ジャック５１０を備えている。
【００６１】
この発明にかかる実施の形態の絶縁抵抗測定用カバー５００によれば、遮断器１０１ａをカバー５０１により覆った状態で、当該カバー５０１の外側から、絶縁抵抗計の測定端子８００を遮断器１０１ａの接触子８０５に電気的に接続することができる。これにより、遮断器１０１ａなどの絶縁抵抗の測定対象となる機器の乾燥状態を保ちながら、当該機器の絶縁状態を測定（絶縁抵抗測定）することができる。
【００６２】
これにより、絶縁抵抗の測定中に、遮断器１０１ａなどの絶縁抵抗の測定対象となる機器の周囲の湿度が変化することを防止することができる。そして、これにより、絶縁抵抗の測定中に、遮断器１０１ａなどの絶縁抵抗の測定対象となる機器の、湿気に起因する絶縁低下を防止し、測定された絶縁抵抗が低下している場合に、その絶縁低下の原因が湿気に起因するものであるか機器不良によるものであるかを確実に判断することができる。
【産業上の利用可能性】
【００６３】
以上のように、この発明にかかる絶縁抵抗測定用カバーは、遮断器の保守点検に用いる絶縁抵抗測定用カバーに有用であり、特に、金属筐体から遮断器を引き出しておこなう定期点検に用いる絶縁抵抗測定用カバーに適している。
【符号の説明】
【００６４】
５００  絶縁抵抗測定用カバー
５０１  カバー
５０３  ファスナー
５０６  カバー連結口
５１０  測定器接続ジャック
６０１、６０２、６０３、６０４、６０５  シート状部材
７０１  枠部材
８０２  キャップ部材
８０３  リード線
８０４  接続用クリップ
９０１  上面枠
９０２  脚部
９０３、９０６  蝶ネジ
９０４、９０７  ナット
９０５ａ、９０５ｂ  棒状部材
９０８  サポート材
【図１】
2017112740.tif 000003
【図２】
2017112740.tif 000004
【図３】
2017112740.tif 000005
【図４】
2017112740.tif 000006
【図５】
2017112740.tif 000007
【図６】
2017112740.tif 000008
【図７】
2017112740.tif 000009
【図８】
2017112740.tif 000010
【図９】
2017112740.tif 000011
【図１０】
2017112740.tif 000012
【図１１】
2017112740.tif 000013
【図１２】
2017112740.tif 000014
【図１３】
2017112740.tif 000015